(57)【特許請求の範囲】
【請求項１】
開口部が設けられた筐体と、
前記筐体に収容された基板と、
前記基板に実装され、前記開口部から露出したコネクタと、
前記基板の厚さ方向で前記基板と重ならずに前記コネクタに当接した部分を有し、前記コネクタと前記筐体との間に位置された弾性部材と、
少なくとも一部が前記コネクタの前記弾性部材とは反対側に位置され、前記コネクタの一部を覆った覆部材と、
前記コネクタの前記弾性部材とは反対側に位置され、前記基板の厚さ方向で前記コネクタを介して前記部分と重ねられ、前記コネクタの移動を規制する規制部と、
を備えた電子機器。
【請求項２】
開口部が設けられた筐体と、
前記筐体に収容された基板と、
前記基板に実装され、前記開口部から露出したコネクタと、
前記コネクタと前記筐体との間に位置され、前記コネクタに当接した弾性部材と、
少なくとも一部が前記コネクタの前記弾性部材とは反対側に位置され、前記コネクタの一部を覆った覆部材と、
前記コネクタの前記弾性部材とは反対側に位置され、前記コネクタの移動を規制する規制部と、
前記規制部に設けられ、ハーネスを支持したガイド部と、
を備えた電子機器。
【請求項３】
開口部が設けられた筐体と、
前記筐体に収容された基板と、
前記基板に実装され、前記開口部から露出したコネクタと、
前記コネクタと前記筐体との間に位置され、前記コネクタに当接した弾性部材と、
少なくとも一部が前記コネクタの前記弾性部材とは反対側に位置され、前記コネクタの一部を覆った覆部材と、
前記コネクタの前記弾性部材とは反対側に位置され、前記コネクタの移動を規制する規制部と、
前記筐体に設けられ、外部載置面に載置される支持部と、
を備え、
前記コネクタは、前記支持部が外部載置面に載置された場合に前記支持部の上方で前記支持部と重なる位置に、位置され、
前記規制部は、前記支持部が外部載置面に載置された場合に前記支持部の上方で前記支持部と重なる位置に、位置された電子機器。
【請求項４】
前記規制部は、前記覆部材に設けられ、前記コネクタとの当接によって前記コネクタの移動を規制する請求項１ないし３のいずれか一項に記載の電子機器。
【請求項５】
前記覆部材は、前記開口部から露出し、
前記規制部は、凸部である、請求項４に記載の電子機器。
【請求項６】
前記コネクタは、基部と、前記基部から筐体の外部に向けて延出し外部コネクタが装着される装着部と、を有し、
前記弾性部材は、前記基部に当接し、
前記規制部は、前記基部の前記弾性部材とは反対側と当接する請求項１ないし５のいずれか一項に記載の電子機器。
【請求項７】
前記規制部は、前記コネクタに設けられた凸部であり、前記覆部材との当接によって前記コネクタの移動を規制する請求項１ないし３のいずれか一項に記載の電子機器。
【請求項８】
前記コネクタは、基部と、前記基部から筐体の外部に向けて延出し外部コネクタが装着される装着部と、を有し、
前記規制部は、前記基部に設けられ、前記覆部材との当接によって前記コネクタの移動を規制する請求項６に記載の電子機器。
【請求項９】
前記筐体に設けられ、外部載置面に載置される支持部を備え、
前記コネクタは、前記支持部が外部載置面に載置された場合に前記支持部の上方で前記支持部と重なる位置に、位置された請求項１または２に記載の電子機器。
【請求項１０】
前記規制部は、前記支持部が外部載置面に載置された場合に前記支持部の上方で前記支持部と重なる位置に、位置された請求項９に記載の電子機器。
【請求項１１】
前記規制部は、導電性を有する請求項１ないし１０のいずれか一項に記載の電子機器。
【発明の詳細な説明】
【技術分野】
【０００１】
本発明の実施形態は、電子機器に関する。
【背景技術】
【０００２】
従来、コネクタと筐体との間に設けられた弾性体によってコネクタと筐体とを電気的に接続して、コネクタのグランドをとるようにした電子機器が、知られている。
【先行技術文献】
【特許文献】
【０００３】
【特許文献１】特開平７−２１２０７４号公報
【発明の概要】
【発明が解決しようとする課題】
【０００４】
しかしながら、従来のテレビジョン受像機等の電子機器では、コネクタが弾性体に押されることでコネクタの位置がずれてしまうことがある。
【０００５】
そこで、本発明の実施形態は、一例として、コネクタの位置ずれを抑制することができる電子機器を得ることを、目的の一つとする。
【課題を解決するための手段】
【０００６】
実施形態にかかる電子機器は、筐体と、基板と、コネクタと、弾性部材と、覆部材と、規制部と、を備えた。前記筐体には、開口部が設けられた。前記基板は、前記筐体に収容された。前記コネクタは、前記基板に実装され、前記開口部から露出した。前記弾性部材は、前記基板の厚さ方向で前記基板と重ならずに前記コネクタに当接した部分を有し、前記コネクタと前記筐体との間に位置された。前記覆部材は、少なくとも一部が前記コネクタの前記弾性部材とは反対側に位置され、前記コネクタの一部を覆った。前記規制部は、前記コネクタの前記弾性部材とは反対側に位置され、前記基板の厚さ方向で前記コネクタを介して前記部分と重ねられ、前記コネクタの移動を規制する。
【図面の簡単な説明】
【０００７】
【図１】図１は、第１実施形態にかかるテレビジョン受像機の一例を正面側から見た斜視図である。
【図２】図２は、第１実施形態にかかるテレビジョン受像機の一例を側面側から見た斜視図である。
【図３】図３は、図１のIII-III断面図である。
【図４】図４は、第１実施形態の第１変形例にかかるテレビジョン受像機の一例の一部を示す断面図である。
【図５】図５は、第１実施形態の第２変形例にかかるテレビジョン受像機の一例の一部を示す断面図である。
【図６】図６は、第２実施形態にかかる電子機器の一例の展開状態での斜視図である。
【図７】図７は、第２実施形態にかかる電子機器の一例の折り畳み状態での平面図である。
【図８】図８は、第２実施形態にかかる電子機器の一例の折り畳み状態での側面図である。
【図９】図９は、図８のIX-IX断面図である。
【図１０】図１０は、第２実施形態にかかる電子機器の一例の一部を示す斜視図である。
【図１１】図１１は、第２実施形態にかかる電子機器の一例の一部を示す斜視図であって、図１０の状態からハーネスが取り外された状態を示す図である。
【図１２】図１２は、第２実施形態にかかる電子機器の一例の一部を示す斜視図であって、図１１の状態から基板が取り外された状態を示す図である。
【図１３】図１３は、第２実施形態にかかる電子機器の一例の一部を示す斜視図であって、図１２の状態からコネクタキャップが取り外された状態を示す図である。
【図１４】図１４は、第２実施形態にかかる電子機器の一例のコネクタキャップを示す斜視図である。
【図１５】図１５は、第２実施形態の変形例にかかる電子機器の一例のコネクタキャップを示す斜視図である。
【発明を実施するための形態】
【０００８】
以下の例示的な複数の実施形態および変形例には、同様の構成要素が含まれている。よって、以下では、同様の構成要素には共通の符号が付されるとともに、重複する説明が省略される。
【０００９】
また、以下の実施形態では、電子機器がテレビジョン受像機や所謂ノートブック型のパーソナルコンピュータとして構成された場合が例示されるが、本実施形態にかかる電子機器は、これには限定されない。本実施形態にかかる電子機器は、例えば、コネクタを有した電子機器、例えば、スマートテレビ、携帯電話機、映像表示装置、テレビ電話機等として構成することができる。
【００１０】
＜第１実施形態＞
本実施形態では、一例として、図１，２に示されるように、テレビジョン受像機１は、支持部２と筐体３とを備える。具体的に、筐体３（第一筐体、第一部分、第一部品）は、表示装置４の少なくとも一部を収容する。支持部２（スタンド部、台、支部、第二筐体、第二部分、他の部分、他の部品）は、筐体３を支持する。支持部２は、外部載置面（平面、水平面）に載置された場合にこの外部載置面と向かい合う領域２０ａ（底壁、壁、領域、部分、ゴム脚、脚）を有する。
【００１１】
また、本実施形態では、一例として、支持部２は、筐体３を、ヒンジ部（接続部、連結部、回動支持部、ヒンジ機構、接続機構、連結機構、回動支持機構）を介して回動可能に支持する。すなわち、ヒンジ部は、支持部２と筐体３とを回動可能に接続（連結）している。本実施形態では、一例として、ヒンジ部は、表示画面４ａの上下方向の角度を変化させる。すなわち、ヒンジ部はチルトの調整を可能としている。なお、支持部２は筐体３を他の方向への回動（例えば、ピボット、スイベル等）を可能に支持することができる。
【００１２】
テレビジョン受像機１の筐体３は、本実施形態では、一例として、図１に示されるように、正面視および背面視では矩形状（本実施形態では、一例として長方形状）に構成されている。また、筐体３は、本実施形態では、一例として、図２に示されるように、前後方向に薄い扁平な直方体状に構成されている。筐体３は、面３ａ（前面、正面、第一面、第一面部）とこの反対側の面３ｂ（後面、背面、第二面、第二面部）と、を有する。面３ａと面３ｂとは略並行している。また、筐体３は、図１に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１３】
また、筐体３は、面３ａを有する壁部３ｋ（第一部分、プレート、フレーム、前壁部、表壁部、天壁部）と、面３ｂを有する壁部３ｍ（第二部分、プレート、後壁部、裏壁部、底壁部、図２参照）と、を有する。壁部３ｋ，３ｍは、矩形状（本実施形態では、一例として長方形状）である。また、筐体３は、壁部３ｋと壁部３ｍとの間に亘った面３ｐ（側面、周面、第三面）を有する四つの壁部３ｎ（第三部分、プレート、側壁部、端壁部、立壁部、亘部）を有する。なお、壁部３ｋには、一例としては矩形状の開口部３ｒが設けられている。よって、壁部３ｋは、矩形状かつ枠状である。
【００１４】
さらに、筐体３は、複数の部品（分割体）が組み合わせられて構成されることができる。筐体３は、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、筐体３は、第一筐体部材３１および第二筐体部材３２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。
【００１５】
筐体３は、金属材料や、合成樹脂材料等で構成されることができる。第一筐体部材３１および第二筐体部材３２は、比較的剛性の低い材料（第三筐体部材や第四筐体部材より剛性の低い材料、例えば合成樹脂材料等）で構成されることができる。なお、第一筐体部材３１や第二筐体部材３２の筐体３内側には、リブ等の壁部（突出部、突出壁部、図示されず）が設けられることができる。壁部により、筐体３の剛性が高くなりやすい。
【００１６】
また、本実施形態では、一例として、図２に示されるように、筐体３の面３ｂや面３ｐ等には、コネクタ１１や操作部１２等が設けられることができる。コネクタ１１は、例えば、データ通信用のコネクタ１１Ａや、ＵＳＢ（universal  serial  bus）コネクタ１１Ｂ、電源ケーブル用のコネクタ、カードコネクタ、イヤホンやマイクのコネクタ等であることができる。操作部１２は、例えば、押しボタンや、押しスイッチ、スライドスイッチ、ポインティングデバイス、ダイヤル等であることができる。また、図１に示されるように、面３ａには、カメラモジュール１０（カメラ、撮像装置）を設けることができる。コネクタ１１や、操作部１２、カメラモジュール１０等は、筐体３の壁部３ｋ，３ｍ，３ｎに設けられた開口部３ｓから露出している。
【００１７】
また、本実施形態では、一例として、図１に示されるように、表示装置４（表示部、ディスプレイ、パネル）の、面３ａ側に位置した表示画面４ａは、開口部３ｒを介して筐体３の前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，liquid  crystal  display）や有機ＥＬディスプレイ（ＯＥＬＤ，organic  electro-luminescent  display）等である。
【００１８】
また、本実施形態では、一例として、表示装置４の前側（表側、壁部３ｋ側）には、入力操作パネル５（一例としてはタッチパネル、タッチセンサ、操作面）が設けられている。入力操作パネル５は、透明な比較的薄い矩形状に構成され、表示画面４ａを覆っている。操作者（ユーザ等）は、例えば、手指や部品（例えばスタイラス等、図示されず）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３の前方（外方）へ出る。入力操作パネル５は、入力部の一例である。
【００１９】
そして、本実施形態では、一例として、図１に示されるように、筐体３内には、表示装置４の後側（裏側、背後側、壁部３ｍ側、表示画面４ａとは反対側）に、一つ以上の基板６（回路基板、制御基板、メイン基板、電気部品、第一電気部品）が収容されている。基板６は、表示装置４と並行して設けられている。基板６は、壁部３ｋ，３ｍ，３ｎ等と離間した状態で、すなわち、壁部３ｋ，３ｍ，３ｎ等との間に空間（隙間）が形成された状態で、設けられている。
【００２０】
また、本実施形態では、一例として、基板６には、例えば、ＣＰＵ（central  processing  unit）や、グラフィックコントローラ、電源回路部品、ＰＣＨ（platform  controller  hub）、メモリスロットコネクタ、ＬＣＤコネクタ、Ｉ／Ｏ（input/output）コネクタ、電源コイル、素子、コネクタ等の複数の部品（図示されず）を実装することができる。また、この基板６には、データ通信用のコネクタ１１Ａが実装されている。また、制御回路は、例えば、映像信号処理回路や、チューナ部、ＨＤＭＩ（high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）、ＳＳＤ（solid  state  drive）等）、音声信号処理回路等を、含むことができる。制御回路は、表示装置４の表示画面４ａでの映像（動画や静止画等）の出力や、スピーカ（図示されず）での音声の出力、ＬＥＤ（light  emitting  diode、図示されず）での発光等を制御する。表示装置４や、スピーカ、ＬＥＤ等は、出力部の一例である。
【００２１】
また、図３に示されるように、本実施形態では、一例として、コネクタ１１Ａは、筐体３の壁部３ｔ（第１の壁部）と壁部３ｕ（第２の壁部）との間に配置されて、開口部３ｓから露出している。壁部３ｔ，３ｕは、一例として、壁部３ｎの内面から筐体３の内方に向けて延出して設けられている。壁部３ｔ，３ｕは、前後方向で重ねて配置されている。コネクタ１１Ａは、基部１１ａと装着部１１ｂとを有している。基部１１ａは、一例として、略直方体状に形成されている。基部１１ａは、筐体３の内部に収容されている。装着部１１ｂは、基部１１ａから筐体３の外部に向けて延出している。装着部１１ｂは、基部１１ａから開口部３ｓに向けて延びている。コネクタ１１Ａでは、装着部１１ｂに外部コネクタ１００が装着される。装着部１１ｂの周囲には、外部コネクタ１００が挿入される空間Ｓが形成されている。
【００２２】
コネクタ１１Ａと筐体３の壁部３ｕとの間には、弾性部材１６（弾性部、ガスケット）が位置されている。弾性部材１６は、弾性を有している。弾性部材１６は、一例として、壁部３ｕに接着等によって貼り付けられている（固定されている）。弾性部材１６は、コネクタ１１Ａの基部１１ａに当接して、コネクタ１１Ａを弾性支持している。また、弾性部材１６は、導電性を有した材料で構成されている。弾性部材１６によって、コネクタ１１Ａと壁部３ｕとが電気的に接続されて、コネクタ１１Ａのグランドがとられている。
【００２３】
また、コネクタ１１Ａの弾性部材１６とは反対側には、コネクタキャップ１７（覆部材、部品、キャップ）が設けられている。コネクタキャップ１７は、筐体３の一部を構成している。コネクタキャップ１７は、少なくとも一部がコネクタ１１Ａの弾性部材１６とは反対側に位置され、コネクタ１１Ａの一部を覆っている。コネクタキャップ１７は、筐体３に設けられている。コネクタキャップ１７は、開口部３ｓから露出している。コネクタキャップ１７は、開口部３ｓの内部の位置で壁部３ｔに固定されている。コネクタキャップ１７は、コネクタ１１Ａに装着された外部コネクタ１００と筐体３との間の隙を小さくしている。コネクタキャップ１７は、概略板状に形成されている。コネクタキャップ１７には、凸部１７ａ（規制部、突出部、突起部、当接部）が設けられている。即ち、凸部１７ａは、筐体３に設けられている。凸部１７ａは、コネクタキャップ１７におけるコネクタ１１Ａ側の面１７ｂからコネクタ１１Ａの基部１１ａに向けて突出している。凸部１７ａは、コネクタキャップ１７と一体成形されている。凸部１７ａは、コネクタ１１Ａの弾性部材１６とは反対側に位置されている。凸部１７ａは、コネクタ１１Ａの移動を規制する。詳しくは、凸部１７ａは、コネクタ１１Ａの基部１１ａの弾性部材１６とは反対側と当接している。凸部１７ａは、コネクタ１１Ａ（基部１１ａ）との当接によってコネクタ１１Ａの移動を規制する。コネクタ１１Ａの基部１１ａは、凸部１７ａと弾性部材１６とによって挟持されている。凸部１７ａおよびコネクタキャップ１７は、一例として、樹脂によって形成することができる。また、凸部１７ａおよびコネクタキャップ１７は、一例として、導電性を有する金属材料によって形成することができる。これにより、凸部１７ａおよびコネクタキャップ１７によって、コネクタ１１Ａのグランドをとることができる。凸部１７ａおよびコネクタキャップ１７の材料は、弾性部材１６の材料よりも縦弾性係数が高い材料で構成されている。凸部１７ａは、一例として剛体である。なお、ここでは、凸部１７ａが、コネクタ１１Ａに当接した状態で設けられた例を説明したが、これに限るものではない。他の例として、凸部１７ａは、コネクタ１１Ａと離間した状態で設けられ、例えば、筐体３に振動や衝撃が加わった場合、移動したコネクタ１１Ａと当接して、当該コネクタ１１Ａのそれ以上の移動を抑制するようにしてもよい。
【００２４】
以上説明したとおり、本実施形態では、弾性部材１６がコネクタ１１Ａと筐体３との間に位置されてコネクタ１１Ａに当接していて、凸部１７ａが、コネクタ１１Ａの弾性部材１６とは反対側に位置されてコネクタ１１Ａとの当接によってコネクタ１１Ａの移動を規制する。したがって、弾性部材１６に弾性支持されたコネクタ１１Ａの移動を、コネクタ１１に当接した凸部１７ａが規制するので、コネクタ１１Ａの位置ずれを抑制することができる。
【００２５】
ここで、コネクタ１１Ａの位置ずれが大きくなると、外部コネクタ１００が挿入される空間Ｓを良好に確保することが困難になることが考えられるが、本実施形態では、凸部１７ａによってコネクタ１１Ａの位置ずれが抑制されるので、コネクタ１１Ａの装着部１１ｂの周囲に、外部コネクタ１００が挿入される空間Ｓを良好に確保することができる。よって、本実施形態によれば、コネクタ１１Ａへの外部コネクタ１００の装着を良好に行うことができる。
【００２６】
また、コネクタ１１Ａの位置ずれが大きくなるほど、コネクタ１１Ａが実装された基板６へ作用する負荷が大きくなるが、本実施形態では、凸部１７ａによってコネクタ１１Ａの位置ずれが抑制されるので、コネクタ１１Ａから基板６へ作用する負荷の増大を抑制することができ、基板６が歪む（傾く）ことを抑制することができる。
【００２７】
また、本実施形態では、凸部１７ａがコネクタ１１Ａの移動を規制することにより、コネクタ１１Ａと弾性部材１６との接圧が増大するので、コネクタ１１Ａと弾性部材１６との間の導電効率を高めることができる。
【００２８】
また、本実施形態では、規制部としての凸部１７ａが、コネクタキャップ１７に設けられているので、規制部だけのために新たな部品を設ける必要がないので、テレビジョン受像機の部品点数の増加を抑制することができる。
【００２９】
なお、本実施形態では、コネクタ１１Ａを弾性部材１６と凸部１７ａ（規制部）とで挟んだ例を説明したが、弾性部材１６と凸部１７ａ（規制部）とで挟み込む部品は、コネクタ１１Ａに限るものではない。例えば、弾性部材１６と凸部１７ａ（規制部）とで挟み込む部品としては、スピーカやマイク、カメラなどであってもよい。
【００３０】
次に、本実施形態の第１変形例を図４を参照して説明する。本変形例では、規制部がコネクタキャップ１７ではなく、コネクタ１１Ａに設けられている。一例として、規制部としての凸部１１ｃは、基部１１ａの外面に設けられている。凸部１１ｃは、筐体３のコネクタキャップ１７との当接によってコネクタ１１Ａの移動を規制する。
【００３１】
次に、本実施形態の第２変形例を図５を参照して説明する。本変形例では、規制部としての規制部品１８（スペーサ）が、筐体３のコネクタキャップ１７およびコネクタ１１Ａとは別部品で設けられている。規制部品１８は、一例として板状に形成されている。規制部品１８は、一例として、筐体３のコネクタキャップ１７とコネクタ１１Ａとに当接している。規制部品１８は、一例として、コネクタキャップ１７とコネクタ１１Ａとの少なくとも一方に固定されていてよい。また、規制部品１８は、一例として、コネクタキャップ１７とコネクタ１１Ａとに挟持されていてもよい。
【００３２】
＜第２実施形態＞
本実施形態では、一例として、電子機器１Ａは、第一筐体３Ａと第二筐体２Ａとを備える。具体的に、第一筐体３Ａ（第一部分）は、表示装置４の少なくとも一部を収容する。第二筐体２Ａは、基板６Ａを収容する。第二筐体２Ａには、キーボード７（入力操作部、第一入力操作部、入力受付部、入力部）や、ポインティングデバイス８ａ（入力操作部、第二入力操作部、入力受付部、入力部）、クリックボタン８ｂ（入力操作部、第三入力操作部、入力受付部、入力部）等が設けられる。
【００３３】
第一筐体３Ａと第二筐体２Ａとは、ヒンジ部（接続部、連結部、回動支持部、ヒンジ機構、接続機構、連結機構、回動支持機構）によって回動可能に接続されている。第一筐体３Ａおよび第二筐体２Ａは、ヒンジ部により、少なくとも図６に示される展開状態と、図７に示される折り畳み状態との間で回動可能に接続されている。本実施形態では、一例として、ヒンジ部は、第一筐体３Ａと第二筐体２Ａとを、回動軸Ａｘ回りに回動可能に、接続している。表示装置４の表示画面４ａは、第一筐体３Ａの面３ａ（前面、正面、第一面、第一面部）に設けられた開口部３ｒから露出している。また、キーボード７や、ポインティングデバイス８ａ、クリックボタン８ｂ等は、第二筐体２Ａの面２ａ（上面、正面、第一面、第一面部）に露出している。折り畳み状態では、第一筐体３Ａの面３ａと第二筐体２Ａの面２ａとが重なり、表示画面４ａや、キーボード７、ポインティングデバイス８ａ、クリックボタン８ｂ等が、第一筐体３Ａおよび第二筐体２Ａに隠される。展開状態では、第一筐体３Ａの面３ａおよび第二筐体２Ａの面２ａが露出し、表示画面４ａや、キーボード７、ポインティングデバイス８ａ、クリックボタン８ｂ等が使用可能（視認可能あるいは操作可能）になる。
【００３４】
第一筐体３Ａは、本実施形態では、一例として、図６，７に示されるように、正面視および背面視では矩形状（本実施形態では、一例として長方形状）に構成されている。また、第一筐体３Ａは、本実施形態では、一例として、図８に示されるように、前後方向に薄い扁平な直方体状に構成されている。第一筐体３Ａは、面３ａ（前面、正面、第一面、第一面部）とこの反対側の面３ｂ（後面、背面、第二面、第二面部）と、を有する。面３ａと面３ｂとは略並行している。また、第一筐体３Ａは、図６に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００３５】
また、第一筐体３Ａは、面３ａを有する壁部３ｋ（第一部分、プレート、フレーム、前壁部、表壁部、天壁部）と、面３ｂを有する壁部３ｍ（第二部分、プレート、後壁部、裏壁部、底壁部）と、を有する。壁部３ｋ，３ｍは、矩形状（本実施形態では、一例として長方形状）である。また、第一筐体３Ａは、壁部３ｋと壁部３ｍとの間に亘った面３ｐ（側面、周面、第三面）を有する四つの壁部３ｎ（第三部分、プレート、側壁部、端壁部、立壁部、亘部）を有する。なお、壁部３ｋには、一例としては矩形状の開口部３ｒが設けられている。よって、壁部３ｋは、矩形状かつ枠状である。
【００３６】
さらに、第一筐体３Ａは、複数の部品（分割体）が組み合わせられて構成されることができる。第一筐体３Ａは、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、第一筐体３Ａは、第一筐体部材３１および第二筐体部材３２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。
【００３７】
第一筐体３Ａは、金属材料や、合成樹脂材料等で構成されることができる。第一筐体部材３１および第二筐体部材３２は、比較的剛性の低い材料（第三筐体部材や第四筐体部材より剛性の低い材料、例えば合成樹脂材料等）で構成されることができる。なお、第一筐体部材３１や第二筐体部材３２の第一筐体３Ａ内側には、リブ等の壁部（突出部、突出壁部、図示されず）が設けられることができる。壁部により、第一筐体３Ａの剛性が高くなりやすい。
【００３８】
また、本実施形態では、一例として、図６に示されるように、第一筐体３Ａの面３ａには、カメラモジュール１０（カメラ、撮像装置）を設けることができる。カメラモジュール１０等は、第一筐体３Ａの壁部３ｋに設けられた開口部３ｓを介して露出している。なお、第一筐体３Ａの面３ｐに、コネクタや操作部を設けることができる。
【００３９】
また、本実施形態では、一例として、図６に示されるように、表示装置４（表示部、ディスプレイ、パネル）の、面３ａ側に位置した表示画面４ａは、開口部３ｒを介して第一筐体３Ａの前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，liquid  crystal  display）や有機ＥＬディスプレイ（ＯＥＬＤ，organic  electro-luminescent  display）等である。
【００４０】
また、本実施形態では、一例として、表示装置４の前側（表側、壁部３ｋ側）には、入力操作パネル５（一例としてはタッチパネル、タッチセンサ、操作面）が設けられている。入力操作パネル５は、透明な比較的薄い矩形状に構成され、表示画面４ａを覆っている。操作者（ユーザ等）は、例えば、手指や部品（例えばスタイラス等、図示されず）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから第一筐体３Ａの前方（外方）へ出る。入力操作パネル５は、入力部の一例である。
【００４１】
第二筐体２Ａは、本実施形態では、一例として、図６，７に示されるように、正面視および背面視では矩形状（本実施形態では、一例として長方形状）に構成されている。また、第二筐体２Ａは、本実施形態では、一例として、図８に示されるように、前後方向に薄い扁平な直方体状に構成されている。第二筐体２Ａは、面２ａ（上面、正面、第一面、第一面部）とこの反対側の面２ｂ（下面、背面、第二面、第二面部）と、を有する。面２ａと面２ｂとは略並行している。また、第二筐体２Ａは、図６に示されるように、正面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。また、端部２ｄ，２ｆは、短辺部の一例である。
【００４２】
また、第二筐体２Ａは、面２ａを有する壁部２ｋ（第一部分、プレート、フレーム、前壁部、表壁部、天壁部）と、面２ｂを有する壁部２ｍ（第二部分、プレート、後壁部、裏壁部、底壁部、図８参照）と、を有する。壁部２ｋ，２ｍは、矩形状（本実施形態では、一例として長方形状）である。また、第二筐体２Ａは、壁部２ｋと壁部２ｍとの間に亘った面２ｐ（側面、周面、第三面）を有する四つの壁部２ｎ（第三部分、プレート、側壁部、端壁部、立壁部、亘部）を有する。なお、壁部２ｋには、一例としては矩形状の開口部２ｒが設けられている。よって、壁部２ｋは、矩形状かつ枠状である。
【００４３】
さらに、第二筐体２Ａは、複数の部品（分割体）が組み合わせられて構成されることができる。第二筐体２Ａは、本実施形態では、一例として、少なくとも壁部２ｋを含む第一筐体部材２１（第一部分、前側部材、マスク、マスク部、カバー、フロントカバー、カバー部、第一領域、図６参照）と、少なくとも壁部２ｍを含む第二筐体部材２２（第二部分、後側部材、ベース、ベース部、ボトム、ボトム部、カバー、リヤカバー、カバー部、第二領域、図８参照）とを有する。壁部２ｎは、第一筐体部材２１および第二筐体部材２２のうち少なくともいずれか一方（例えば、第二筐体部材２２）に含まれる。また、第二筐体２Ａは、第一筐体部材２１および第二筐体部材２２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。
【００４４】
第二筐体２Ａは、金属材料や、合成樹脂材料等で構成されることができる。第一筐体部材２１および第二筐体部材２２は、比較的剛性の低い材料（第三筐体部材や第四筐体部材より剛性の低い材料、例えば合成樹脂材料等）で構成されることができる。なお、第一筐体部材２１や第二筐体部材２２の第二筐体２Ａ内側には、リブ等の壁部（突出部、突出壁部、図示されず）が設けられることができる。壁部により、第二筐体２Ａの剛性が高くなりやすい。
【００４５】
第二筐体２Ａの壁部２ｍには、第二筐体２Ａを支持した支持部２０（脚部、脚、ゴム部材）が設けられている。支持部２０は、一例として、四つの角部２ｇ〜２ｊのそれぞれに設けられている。支持部２０は、面２ｂから突出している。支持部２０は、一例として、ゴム等の弾性部材によって構成されている。支持部２０は、外部載置面２００（図９）に載置される。支持部２０は、外部載置面２００（図９）に載置された状態で、第二筐体２Ａを支持する。
【００４６】
また、本実施形態では、一例として、図８に示されるように、第二筐体２Ａの面２ｐ等には、コネクタ１１等が設けられることができる。コネクタ１１は、例えば、データ通信用のコネクタ１１Ａや、ＵＳＢ（universal  serial  bus）コネクタ１１Ｂ、電源ケーブル用のコネクタ１１Ｃ、カードコネクタ、イヤホンやマイクのコネクタ等であることができる。コネクタ１１は、第二筐体２Ａの壁部２ｎに設けられた開口部２ｓを介して露出している。なお、第二筐体２Ａの面２ａに、コネクタや操作部を設けることができる。
【００４７】
また、本実施形態では、一例として、図６に示されるように、キーボード７の操作面７ａ（面、上面）は、開口部２ｒを介して第二筐体２Ａの前方（外方）に露出している。面２ａにおいて、キーボード７は、端部２ｅ側に寄せて位置され、ポインティングデバイス８ａならびにクリックボタン８ｂは端部２ｅとは反対側の端部２ｃ側に寄せて配置されている。端部２ｅは奥行方向（前後方向）の奥側に位置され、端部２ｃは手前側に位置されている。
【００４８】
そして、本実施形態では、一例として、図６に示されるように、第二筐体２Ａ内には、キーボード７の後側（裏側、背後側、壁部２ｍ側、操作面７ａとは反対側）に、一つ以上の基板６Ａ（回路基板、制御基板、メイン基板、電気部品、第一電気部品）が収容されている。基板６Ａは、キーボード７と並行して設けられている。基板６Ａは、壁部２ｋ，２ｍ，２ｎ等と離間した状態で、すなわち、壁部２ｋ，２ｍ，２ｎ等との間に空間（隙間）が形成された状態で、設けられている。
【００４９】
また、本実施形態では、一例として、基板６Ａには、例えば、ＣＰＵ（central  processing  unit）や、グラフィックコントローラ、電源回路部品、ＰＣＨ（platform  controller  hub）、メモリスロットコネクタ、ＬＣＤコネクタ、Ｉ／Ｏ（input/output）コネクタ、電源コイル、素子、コネクタ等の複数の部品（図示されず）を実装することができる。この基板６には、データ通信用のコネクタ１１Ａが実装されている。また、制御回路は、例えば、映像信号処理回路や、チューナ部、ＨＤＭＩ（high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）、ＳＳＤ（solid  state  drive）等）、音声信号処理回路等を、含むことができる。制御回路は、表示装置４の表示画面４ａでの映像（動画や静止画等）の出力や、スピーカ（図示されず）での音声の出力、ＬＥＤ（light  emitting  diode、図示されず）での発光等を制御する。表示装置４や、スピーカ、ＬＥＤ等は、出力部の一例である。
【００５０】
また、本実施形態では、一例として、図６，７に示されるように、第二筐体２Ａの端部２ｅの長手方向両端部に、面２ａから厚さ方向に突出した突出部２ｕが設けられている。そして、本実施形態では、一例として、図７，８に示されるように、この突出部２ｕに、ヒンジ部の一部（第二筐体２Ａ側の部分）が収容されている。また、本実施形態では、一例として、図８に示されるように、他のコネクタ１１より高さ（厚さ）の大きいコネクタ１１Ａが、この突出部２ｕに対応して設けられている。また、本実施形態では、一例として、突出部２ｕ内では、コネクタ１１に隣接してヒンジ部が設けられている。また、図８に示されるように、コネクタ１１に隣接してヒンジキャップ２３が設けられている。よって、一例としては、高さ（厚さ）の大きいコネクタ１１が設けられた部分の電子機器１Ａの高さ（厚さ）が、コネクタ１１とヒンジ部との間、あるいはコネクタ１１とヒンジキャップ２３との間に第二筐体２Ａの壁部が設けられた場合に比べて、より低くなりやすい。また、ヒンジ部が収容された突出部２ｕを、第一筐体部材２１および第二筐体部材２２とは別の部品であるヒンジキャップ２３（カバー、キャップ、覆部、覆部材、第五筐体部材）で覆ったため、一例としては、第一筐体部材２１または第二筐体部材２２を組み立てる（組み付ける、取り扱う）工程と、ヒンジ部回りの部品（ヒンジ部や、コネクタ１１Ａ、ハーネス等）を組み立てる（組み付ける、取り扱う）工程とを分けやすくなる。よって、一例としては、製造の手間が減りやすい。また、一例としては、ヒンジキャップ２３の表面（外面）を例えばメタリック塗料で塗装する等、ヒンジキャップ２３に他の部位（一般部位、第一筐体部材２１，３１や第二筐体部材２２，３２等）とは異なった加飾を施すことで、外観にアクセントを加えることができる。
【００５１】
そして、一例として、図９に示されるように、コネクタ１１Ａは、第二筐体２Ａの壁部２ｍ（第１の壁部）と壁部２ｋ（第２の壁部）との間に配置されて、開口部２ｓから露出している。コネクタ１１Ａは、図９〜図１１に示されるように、第１の実施形態と同様に、基部１１ａと装着部１１ｂとを有している。基部１１ａは、一例として、略直方体状に形成されている。基部１１ａは、筐体３の内部に収容されている。装着部１１ｂは、基部１１ａから第二筐体２Ａの外部に向けて延出している。装着部１１ｂは、基部１１ａから開口部２ｓに向けて延びている。コネクタ１１Ａでは、装着部１１ｂに外部コネクタ１００（図５参照）が装着される。装着部１１ｂの周囲には、外部コネクタ１００が挿入される空間Ｓが形成されている。
【００５２】
コネクタ１１Ａと壁部２ｍとの間には、弾性部材１６（弾性部、ガスケット、図９）が位置されている。弾性部材１６は、弾性を有している。弾性部材１６は、一例として、壁部２ｍに接着等によって貼り付けられている（固定されている）。弾性部材１６は、コネクタ１１Ａの基部１１ａに当接して、コネクタ１１Ａを弾性支持している。また、弾性部材１６は、導電性を有した材料で構成されている。弾性部材１６によって、コネクタ１１Ａと壁部２ｍとが電気的に接続されて、コネクタ１１Ａのグランドがとられている。
【００５３】
また、コネクタ１１Ａの弾性部材１６とは反対側には、コネクタキャップ１７Ａ（覆部材、部品、キャップ）が設けられている。コネクタキャップ１７Ａは、第二筐体２Ａの一部を構成している。コネクタキャップ１７Ａは、少なくとも一部がコネクタ１１Ａの弾性部材１６とは反対側に位置され、コネクタ１１Ａの一部を覆っている。コネクタキャップ１７Ａは、第二筐体２Ａに設けられている。コネクタキャップ１７は、開口部２ｓから露出している。コネクタキャップ１７Ａは、壁部２ｋに固定されている。コネクタキャップ１７Ａは、一例として、壁部２ｋに設けられた支持部２ｑ（図１３）に固定されている。支持部２ｑには、複数のピン２ｔやリブ２ｖが設けられている。コネクタキャップ１７Ａは、コネクタ１１Ａに装着された外部コネクタ１００とヒンジキャップ２３との間の隙を小さくしている。
【００５４】
コネクタキャップ１７Ａは、図１２および図１４に示されるように、コネクタ１１Ａに重ねられた基部１７ｃ（部分、第１の部分）と、基部１７ｃから延出した延出部１７ｄ（部分ｍ、第２の部分）と、を有している。基部１７ｃは、一対の端部１７ｅ，１７ｆを有しており、これらの端部１７ｅ，１７ｆが壁２ｋに、接着や締結等で固定される。基部１７ｃには、結合具１９（ねじ、図１２）が挿入された開口部１７ｇ（図１４）が設けられている。
【００５５】
コネクタキャップ１７Ａには、図１４に示されるように、凸部１７ａ（規制部、突出部、突起部、当接部）が設けられている。即ち、凸部１７ａは、第二筐体２Ａに設けられている。凸部１７ａは、一対の端部１７ｅ，１７ｆ間に２つ設けられている。凸部１７ａは、概略直方体状に形成されている。凸部１７ａは、端部１７ｅ，１７ｆ同士を結ぶ方向と略直交する方向に沿って延在して設けられている。凸部１７ａは、コネクタキャップ１７Ａの基部１７ｃにおけるコネクタ１１Ａ側の面１７ｈからコネクタ１１Ａの基部１１ａに向けて突出している。凸部１７ａは、コネクタキャップ１７と一体成形されている。凸部１７ａは、コネクタ１１Ａの弾性部材１６とは反対側に位置されている。凸部１７ａは、コネクタ１１Ａの移動を規制する。詳しくは、凸部１７ａは、コネクタ１１Ａの基部１１ａの弾性部材１６とは反対側と当接している。凸部１７ａは、コネクタ１１Ａ（基部１１ａ）との当接によってコネクタ１１Ａの移動を規制する。コネクタ１１Ａの基部１１ａは、凸部１７ａと弾性部材１６とによって挟持されている。凸部１７ａおよびコネクタキャップ１７Ａは、一例として、樹脂によって形成することができる。また、凸部１７ａおよびコネクタキャップ１７Ａは、一例として、導電性を有する金属材料によって形成することができる。これにより、凸部１７ａおよびコネクタキャップ１７Ａによって、コネクタ１１Ａのグランドをとることができる。凸部１７ａおよびコネクタキャップ１７Ａの材料は、弾性部材１６の材料よりも縦弾性係数が高い材料で構成されている。凸部１７ａは、一例として剛体である。なお、コネクタキャップ１７Ａと弾性部材１６との位置は、図９で示す位置と逆の位置であってもよい。
【００５６】
また、本実施形態では、一例として、図１０および図１４に示されるように、コネクタキャップ１７には、ハーネス３０（配線、図１０）をガイド（支持）するガイド部１７ｉが設けられている。ガイド部１７ｉは、一例として、延出部１７ｄに設けられている。このハーネス３０の端部には、コネクタ３１（図１０）が設けられている。コネクタ３１は、基板６Ａに実装されたコネクタ３２（図１１）に装着される。ハーネス３０は、例えば、筐体３内の基板６Ａ（電気部品、回路）と、電気部品（例えば、表示装置やスピーカ、カメラ等）を接続している。また。コネクタキャップ１７は、ハーネス３０の一部を覆うカバーとしても機能している。
【００５７】
また、本実施形態では、一例として、図８および図９に示されるように、コネクタ１１Ａは、支持部２０（角部２ｊの支持部２０）が外部載置面２００に載置された場合に支持部２０（角部２ｊの支持部２０）の上方で支持部２０（角部２ｊの支持部２０）と重なる位置に、位置されている。また、本実施形態では、凸部１７ａは、図９に示されるように、支持部２０（角部２ｊの支持部２０）が外部載置面２００に載置された場合に支持部２０（角部２ｊの支持部２０）の上方で支持部２０（角部２ｊの支持部２０）と重なる位置に、位置されている。かかる構成により、支持部２０に入力された荷重の少なくとも一部が、弾性部材１６、コネクタ１１Ａおよび凸部１７ａ等を介して壁部２ｋに入力されるので、基板６Ａに荷重が入力されることを抑制される。
【００５８】
以上説明したとおり、本実施形態では、弾性部材１６がコネクタ１１Ａと第二筐体２Ａとの間に位置されてコネクタ１１Ａに当接していて、凸部１７ａが、コネクタ１１Ａの弾性部材１６とは反対側に位置されてコネクタ１１Ａとの当接によってコネクタ１１Ａの移動を規制する。したがって、弾性部材１６に弾性支持されたコネクタ１１Ａの移動を、コネクタ１１に当接した凸部１７ａが規制するので、コネクタ１１Ａの位置ずれを抑制することができる。
【００５９】
次に、本実施形態の変形例を図１５を参照して説明する。本変形例のコネクタキャップ１７Ｂでは、凸部１７ａが、端部１７ｅ，１７ｆ同士を結ぶ方向に沿って延在して設けられている。かかる構成により、端部１７ｅ，１７ｆ間の曲げ剛性を向上させることができる。
【００６０】
以上説明したとおり、上記各実施形態によれば、コネクタ１１Ａの位置ずれを抑制することができる。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１…テレビジョン受像機（電子機器）、１Ａ…電子機器、２ｓ，３ｓ…開口部、２Ａ…第二筐体（筐体）、３…筐体、４…表示装置、６，６Ａ…基板、１１ａ…基部、１１ｂ…装着部、１１ｃ…凸部（規制部）、１１Ａ…コネクタ、１６…弾性部材、１７，１７Ａ…コネクタキャップ（覆部材）、１７ａ…凸部（規制部）、１７ｉ…ガイド部、１８…規制部品（規制部）、２０…支持部、３０…ハーネス、１００…外部コネクタ、２００…外部載置面。
【図１】
0005349641.tif 000002
【図２】
0005349641.tif 000003
【図３】
0005349641.tif 000004
【図４】
0005349641.tif 000005
【図５】
0005349641.tif 000006
【図６】
0005349641.tif 000007
【図７】
0005349641.tif 000008
【図８】
0005349641.tif 000009
【図９】
0005349641.tif 000010
【図１０】
0005349641.tif 000011
【図１１】
0005349641.tif 000012
【図１２】
0005349641.tif 000013
【図１３】
0005349641.tif 000014
【図１４】
0005349641.tif 000015
【図１５】
0005349641.tif 000016